(57)【特許請求の範囲】
【請求項１】
棚前後方向に並ぶ支柱に、上下方向に沿って配設されるラチス及び水平方向に沿って配設される水平材としての前後水平材が接続され、且つ、棚横幅方向に並ぶ支柱に、水平方向に沿って配設される水平材としての左右水平材が接続されて棚構成体が形成され、その棚構成体における後側に、上下方向に沿って配設される垂直ブレースが装着された物品収納棚であって、
前記ラチスの非設置により可変形構造とし、且つ、その変形振動を減衰する減衰機構が装着された可変形棚部分と、前記棚構成体の他の部分とが、水平方向に並ぶ状態で前記左右水平材によって接続され、
前記可変形棚部分が、前記支柱のうちの棚前後方向に隣接する支柱に亘って減衰機構を架設した可変形支柱枠にて構成され、
前記棚構成体が、前記可変形支柱枠と、前記支柱のうちの棚前後方向に隣接する支柱に亘って前記ラチスを架設した剛性支柱枠とを、それら夫々における一対の支柱を棚前後方向に位置させた状態で且つ前記剛性支柱枠と前記可変形支柱枠とを交互に位置させた状態で棚横幅方向に並べて構成されている物品収納棚。
【請求項２】
前記棚構成体が、複数の棚列を棚前後方向に並べて構成され、
前記複数の棚列の夫々が、前記可変形支柱枠と前記支柱のうちの隣接する支柱に亘って前記ラチスを架設した剛性支柱枠とを、それら夫々における一対の支柱を棚前後方向に位置させた状態で且つ前記剛性支柱枠の間に前記可変形支柱枠を位置させた状態で棚横幅方向に並べて構成され、且つ、各棚列における前記可変形支柱枠の棚横幅方向での位置が同じ位置となるように構成されている請求項１記載の物品収納棚。
【発明の詳細な説明】
【技術分野】
【０００１】
本発明は、棚前後方向並びに棚横幅方向に並ぶ支柱にラチス及び水平材が接続されて棚構成体が形成され、その棚構成体に垂直ブレースが装着された物品収納棚に関する。
【背景技術】
【０００２】
かかる物品収納棚は、棚前後方向並びに棚横幅方向に並ぶ支柱にラチス及び水平材を接続して棚構成体を形成し、その棚構成体に垂直ブレースを装着して十分な強度が備えられている。
そして、このような物品収納棚において、従来では、棚前後方向に隣接する一対の支柱に亘ってラチスを架設した剛性支柱枠を棚横幅方向に並べて棚構成体を形成し、その棚構成体に垂直ブレースを装着することにより、物品収納棚が剛性に構成されていた（例えば、特許文献１参照。）。
ちなみに、剛性支柱枠を構成する棚前後方向に隣接する支柱間、並びに、棚横幅方向に隣接する剛性支柱枠間に亘って水平材が架設されている。
【０００３】
【特許文献１】特開平１１−１６５８２１号公報
【発明の開示】
【発明が解決しようとする課題】
【０００４】
しかし、上記従来の物品収納棚では、物品収納棚が剛性に構成されており、物品収納棚の下部の揺れが上部に伝わり易く、地震等により物品収納棚が揺れた際に、その上部における振幅量を抑えることができないため、物品収納棚が大きく揺れてしまうものであった。
そこで、棚前後方向並びに棚横幅方向に並ぶ支柱に接続されているラチス又は垂直ブレースを取り外して棚構成体の全体を可変形構造に形成し、その変形振動を減衰する減衰機構を棚構成体に装着させて、棚構成体の変形振動と減衰機構による変形振動の減衰とにより物品収納棚の下部の揺れが上部に伝わり難くなるように構成して、地震等により物品収納棚が揺れた際の物品収納棚の上部における振幅量を抑えることが考えられるが、ラチスや垂直ブレースを取り外すことにより物品収納棚の強度が低下してしまうため、その低下した強度をラチスや垂直ブレースに代えて装着する減衰機構にて補う必要があるものであり、減衰機構にて物品収納棚の強度を補うことにより、棚構成体は変形振動し難くなり減衰機構は変形振動を減衰させ難くなるので、地震等、特に、中小地震のように変形振動のエネルギーが比較的小さい地震等により物品収納棚が揺れた場合に物品収納棚の下部の揺れが上部に伝わり易く、物品収納棚の上部における振幅量を小さく抑えることができないものとなる。
【０００５】
本発明は、上記実状に鑑みて為されたものであって、その目的は、地震等の際に上部における振幅量を小さく抑えることができる物品収納棚を提供する点にある。
【課題を解決するための手段】
【０００６】
この目的を達成するために、本発明にかかる物品収納棚の第１特徴構成は、棚前後方向に並ぶ支柱に、上下方向に沿って配設されるラチス及び水平方向に沿って配設される水平材としての前後水平材が接続され、且つ、棚横幅方向に並ぶ支柱に、水平方向に沿って配設される水平材としての左右水平材が接続されて棚構成体が形成され、その棚構成体における後側に、上下方向に沿って配設される垂直ブレースが装着された物品収納棚であって、
前記ラチスの非設置により可変形構造とし、且つ、その変形振動を減衰する減衰機構が装着された可変形棚部分と、前記棚構成体の他の部分とが、水平方向に並ぶ状態で前記左右水平材によって接続され、
前記可変形棚部分が、前記支柱のうちの棚前後方向に隣接する支柱に亘って減衰機構を架設した可変形支柱枠にて構成され、
前記棚構成体が、前記可変形支柱枠と、前記支柱のうちの棚前後方向に隣接する支柱に亘って前記ラチスを架設した剛性支柱枠とを、それら夫々における一対の支柱を棚前後方向に位置させた状態で且つ前記剛性支柱枠と前記可変形支柱枠とを交互に位置させた状態で棚横幅方向に並べて構成されている点にある。
【０００７】
すなわち、ラチスの非設置により可変形構造とされた可変形棚部分を棚構成体の水平方向の一部に形成し、その可変形棚部分にその変形振動を減衰する減衰機構を装着して、可変形棚部分の変形振動と減衰機構による変形振動の減衰とにより物品収納棚の下部の揺れが上部に伝わり難いようにして、地震等により物品収納棚が揺れた際に物品収納棚の上部における振幅量を抑えるように構成されている。
つまり、棚前後方向並びに棚横幅方向に並ぶ支柱にラチス及び水平材が接続されて棚構成体が構成され、その棚構成体に垂直ブレースが設置されて、物品収納棚は十分な強度が備えられており、このように十分な強度が備えられている棚構成体の水平方向の一部に、ラチスが設置されていない変形振動が可能な可変形構造の可変形棚部分が形成され、その可変形棚部分に減衰機構が装着されている。
従って、ラチスの非設置により棚構成体の水平方向の一部が可変形構造とされながらも、その可変形構造とされた可変形棚部分は棚構成体の水平方向の一部に備えられているだけなので、棚構成体における可変形棚部分以外の棚部分にて物品収納棚に十分な強度が確保し易いものであり、また、十分な強度を確保した物品収納棚における可変形棚部分に減衰機構を装着することにより、減衰機構にて物品収納棚の強度を補う必要がないため、可変形棚部分は変形振動し易くなり減衰機構は変形振動を減衰させ易くなるので、地震、特に、中小地震のように変形振動のエネルギーが比較的小さい地震等により物品収納棚が揺れた場合でも物品収納棚の下部の揺れが上部に伝わり難くなり、物品収納棚の上部における振幅量を小さく抑えることができ、もって、地震等の際に上部における振幅量を小さく抑えることができる物品収納棚を提供することができるに至った。
【０００９】
また、第１特徴構成によれば、可変形棚部分は、ラチスの非設置により棚前後方向に変形振動し易い可変形構造とされた可変形支柱枠にて構成されており、その可変形支柱枠の棚前後方向に隣接する一対の支柱に亘って減衰機構が架設されているため、可変形支柱枠の棚前後方向への変形振動と減衰機構による変形振動の減衰とにより、物品収納棚の下部の棚前後方向の揺れが上部に伝わり難くなるので、物品収納棚の上部における棚前後方向の振幅量を小さく抑えることができる。
また、剛性支柱枠の間に可変形支柱枠を位置させた状態で可変形支柱枠と剛性支柱枠とを棚横幅方向に並べて構成されており、ラチスを架設した剛性に構成した剛性支柱枠の間に可変形支柱枠を位置させることで物品収納棚に十分な強度を確保し易くなる。
【００１０】
本発明にかかる物品収納棚の第２特徴構成は、第１特徴構成において、前記棚構成体が、複数の棚列を棚前後方向に並べて構成され、前記複数の棚列の夫々が、前記可変形支柱枠と前記支柱のうちの隣接する支柱に亘って前記ラチスを架設した剛性支柱枠とを、それら夫々における一対の支柱を棚前後方向に位置させた状態で且つ前記剛性支柱枠の間に前記可変形支柱枠を位置させた状態で棚横幅方向に並べて構成され、且つ、各棚列における前記可変形支柱枠の棚横幅方向での位置が同じ位置となるように構成されている点にある。
【００１１】
すなわち、各棚列における可変形支柱枠の棚横幅方向での位置が同じとなるように構成されているため、可変形支柱枠が棚前後方向に変形振動したとしても、隣接する棚列における棚横幅方向での位置が同じ可変形支柱枠も同様に棚前後方向に変形振動するので、棚前後方向に並ぶ支柱枠同士の接触を回避することができる。
【発明を実施するための最良の形態】
【００１６】
〔本発明の実施形態〕
以下、本発明にかかる物品収納棚を自動倉庫に適応した例を図面に基づいて説明する。
図１に示すように、自動倉庫は、物品を収納する物品収納棚１と棚横幅方向に沿って走行するスタッカークレーン２とを備え、スタッカークレーン２にて物品を物品収納棚１と収納棚１の横側方に設けられた荷受台３との間で搬送するように構成されている。
【００１７】
図２及び図３に示すように、前記物品収納棚１は、棚前後方向並びに棚横幅方向に並ぶ支柱４にラチス５及び水平材６が接続されて棚構成体Ａが形成され、棚構成体Ａに垂直ブレース７が装着されている。また、前記棚構成体Ａは、複数の棚列ａを棚前後方向に並べて構成されており、対向する一対の棚列ａを１組として２組設けられている。
そして、図１及び図３に示すように、対向する棚列ａの間の夫々には、物品搬送用のフォーク装置２ａを昇降自在に備えたスタッカークレーン２が下部レール８並びに上部レール９に沿って走行可能に設けられている。尚、各棚列ａにおける棚前後方向のスタッカークレーン存在側が前側、スタッカークレーン存在側とは反対側を後側とする。
【００１８】
図６に示すように、前記ラチス５の非設置により可変形構造とし、且つ、その変形振動を減衰する減衰機構としての粘性を利用したオイルダンパ１２が装着された可変形棚部分Ｂが、前記棚構成体Ａの水平方向の一部に形成されている。
そして、図４に示すように、可変形棚部分Ｂが、前記支柱４のうちの隣接する支柱４に亘ってオイルダンパ１２を架設した可変形支柱枠１３にて構成され、図６に示すように、前記棚構成体Ａが、前記可変形支柱枠１３と、前記支柱４のうちの隣接する支柱４に亘って前記ラチス５を架設した剛性支柱枠１４とを、それら夫々における一対の支柱４を棚前後方向に位置させた状態で且つ前記剛性支柱枠１４の間に前記可変形支柱枠１３を位置させた状態で棚横幅方向に並べて構成されている。
また、図６に示すように、棚構成体Ａには、可変形支柱枠１３や剛性支柱枠１４を棚横幅方向に並べて構成された棚列ａが棚前後方向に複数並べられており、換言すると、棚構成体Ａは、複数の棚列ａを棚前後方向に並べて構成され、前記複数の棚列ａの夫々が、前記可変形支柱枠１３と前記支柱４のうちの隣接する支柱４に亘って前記ラチス５を架設した剛性支柱枠１４とを、それら夫々における一対の支柱４を棚前後方向に位置させた状態で且つ前記剛性支柱枠１４の間に前記可変形支柱枠１３を位置させた状態で棚横幅方向に並べて構成され、且つ、各棚列ａにおける前記可変形支柱枠１３の棚横幅方向での位置が同じ位置となるように構成されている。
尚、棚構成体Ａに垂直ブレース７とオイルダンパ１２とが装着されて物品収納棚１が構成されるものであり、物品収納棚１はオイルダンパ１２を装着しない状態で十分な強度が備えられている。
【００１９】
図３に示すように、前記剛性支柱枠１４は、棚前後方向に隣接する一対の支柱４と、この一対の支柱４に亘って架設された傾斜姿勢の複数のラチス５と、一対の支柱４に亘って架設された水平姿勢の複数の前後水平材１５とを備えて構成されている。
図４に示すように、前記可変形支柱枠１３は、棚前後方向に隣接する一対の支柱４と、この一対の支柱４に亘って架設された水平姿勢の複数の前後水平材１５とを備えて構成されており、ラチス５は設置されていない。そして、可変形支柱枠１３には、一対の支柱４に亘って傾斜姿勢に架設する状態で複数のオイルダンパ１２を装着するように構成されている。
【００２０】
図２に示すように、各棚列ａは、剛性支柱枠１４と可変形支柱枠１３とを棚横幅方向に並べ、その並べられた可変形支柱枠１３と剛性支柱枠１４とに亘って水平姿勢の複数の左右水平材１６を架設して構成されている。そして、剛性支柱枠１４と可変形支柱枠１３とは、棚列ａの両端部に剛性支柱枠１４を位置させ、その間に可変形支柱枠１３と剛性支柱枠１４とを並べて、棚横幅方向に交互に並べられている。
また、図６に示すように、各棚列ａは、可変形支柱枠１３と剛性支柱枠１４とが等間隔に並べられており、各棚列ａにおける剛性支柱枠１４の棚横幅方向での位置が同じ位置となり、各棚列ａにおける可変形支柱枠１３の棚横幅方向での位置も同じ位置となるように構成されている。
【００２１】
図３に示すように、対向する一対の棚列ａは棚列連結枠１７にて連結されている。
この棚列連結枠１７は、対向する一対の棚列ａ夫々における前側の支柱４の上端に連結された一対の左右枠部分１７ａと、これら一対の左右枠部分１７ａに亘って架設された前後枠部分１７ｂとで構成されており、この棚列連結枠１７には、前記上部レール９が支持されている。
【００２２】
図３、図４に示すように、棚前後方向に並ぶ４つの棚列ａのうちの間に位置する互いに後向きになる２つの棚列ａが、一方の棚列ａにおける棚後側の支柱４と他方の棚列ａにおける棚後側の支柱４とに亘って架設された支柱つなぎ１８にて連結されている。
尚、前記前後水平材１５、左右水平材１６、棚列連結枠１７及び支柱つなぎ１８が水平材６に相当する。
【００２３】
図２及び図５に示すように、棚横幅方向に並置された剛性支柱枠１４間に亘って垂直ブレース７が架設されており、具体的には、棚横幅方向に並置された一方の剛性支柱枠１４における後側の支柱４と他方の剛性支柱枠１４における後側の支柱４とに亘って、傾斜姿勢の垂直ブレース７が複数架設されている。そして、垂直ブレース７が架設される一対の剛性支柱枠１４の間には可変形支柱枠１３が位置しており、この可変形支柱枠１３には垂直ブレース７は接続されていない。
【００２４】
〔第１参考実施形態〕
以下、可変形棚部分Ｂを、可変形棚列ａ１として構成した場合について図面に基づいて説明する。
尚、本発明の実施形態と同様に構成されるものについては、本発明の実施形態と同じ符号を付け、説明は省略する。
【００２５】
図７、図８に示すように、前記可変形棚部分Ｂが、前記支柱４のうちの隣接する支柱４に亘ってオイルダンパ１２を架設した可変形支柱枠１３を、それが備える一対の支柱４を棚前後方向に位置させる状態で棚横幅方向に沿って複数並置する可変形棚列ａ１として構成され、前記棚構成体Ａが、前記可変形棚列ａ１と、前記支柱４のうちの隣接する支柱４に亘って前記ラチス５を架設した剛性支柱枠１４をそれが備える一対の支柱４を棚前後方向に位置させる状態で棚横幅方向に沿って複数並置する剛性棚列ａ２とを、前記剛性棚列ａ２の間に前記可変形棚列ａ１を位置させる状態で棚前後方向に並べて構成されている。
【００２６】
可変形棚列ａ１は、可変形支柱枠１３を棚横幅方向に並べ、その並べられた複数の可変形支柱枠１３に亘って水平姿勢の複数の左右水平材１６を架設して構成されている。また、剛性棚列ａ２は、剛性支柱枠１４を棚横幅方向に並べ、その並べられた複数の剛性支柱枠１４に亘って水平姿勢の複数の左右水平材１６を架設して構成されている。
そして、一対の剛性棚列ａ２を棚構成体Ａの棚前後方向の両端部に位置させ、一対の可変形棚列ａ１を一対の剛性棚列ａ２の間に位置するように、剛性棚列ａ２と可変形棚列ａ１とが棚前後方向に並設されている。
ちなみに、可変形棚列ａ１における可変形支柱枠１３と剛性棚列ａ２における剛性支柱枠１４とは棚横幅方向に等間隔に並べられている。
【００２７】
図７に示すように、対向する可変形棚列ａ１と剛性棚列ａ２とは、棚列連結枠１７にて連結されており、互いに後ろ向きとなる一対の可変形棚列ａ１同士は支柱つなぎ１８にて連結されている。
【００２８】
図８に示すように、剛性棚列ａ２においては、棚横幅方向に並置された一対の剛性支柱枠１４に亘って垂直ブレース７が架設されており、具体的には、一対の剛性支柱枠１４における一方の剛性支柱枠１４の後側の支柱４と他方の剛性支柱枠１４の後側の支柱４とに亘って複数の垂直ブレース７が傾斜姿勢に設置されている。尚、垂直ブレース７が接続される一対の剛性支柱枠１４の間には、垂直ブレース７が接続されない剛性支柱枠１４が位置している。
また、可変形棚列ａ１においては、棚横幅方向に並置された一対の可変形支柱枠１３に亘って垂直ブレース７が架設されており、具体的には、一対の可変形支柱枠１３における一方の可変形支柱枠１３の後側の支柱４と他方の可変形支柱枠１３の後側の支柱４とに亘って複数の垂直ブレース７が傾斜姿勢に設置されている。尚、垂直ブレース７が設置される一対の可変形支柱枠１３の間には、垂直ブレース７が接続されない可変形支柱枠１３が位置している。
【００２９】
〔第２参考実施形態〕
以下、本発明に係る可変形棚部分Ｂを、ブレース非設置棚部分２１として構成した場合について図面に基づいて説明する。
尚、本発明の実施形態及び第１参考実施形態と同様に構成されるものについては、本発明の実施形態及び第１参考実施形態と同じ符号を付け、説明は省略する。
【００３０】
図９及び図１０に示すように、前記物品収納棚１は、前記垂直ブレース７の非設置により可変形構造とし、且つ、その変形振動を減衰する減衰機構としての減衰ブレース２０が装着された可変形棚部分Ｂが、前記棚構成体Ａの水平方向の一部に形成されている。
そして、前記可変形棚部分Ｂが、前記支柱４のうちの隣接する支柱４に亘って前記ラチス５を架設した剛性支柱枠１４をそれが備える一対の支柱４を棚前後方向に位置させた状態で棚横幅方向に並置し、且つ、前記剛性支柱枠１４間に亘って前記減衰ブレース２０を架設したブレース非設置棚部分２１として構成されている。
また、前記棚構成体Ａが、前記ブレース非設置棚部分２１と、前記支柱４のうちの隣接する支柱４に亘って前記ラチス５を架設した剛性支柱枠１４をそれが備える一対の支柱４を棚前後方向に位置させた状態で棚横幅方向に並置し且つ前記剛性支柱枠１４間に亘って配設する前記垂直ブレース７を設置するブレース設置棚部分２２とを、前記ブレース設置棚部分２２の間に前記ブレース非設置棚部分２１を位置させる状態で、棚横幅方向に並べて構成されている。
つまり、物品収納棚１は、棚構成体Ａに垂直ブレース７と減衰ブレース２０とが装着されることにより構成されるものであり、物品収納棚１に減衰ブレース２０を装着しない状態で十分な強度が備えられている。
【００３１】
図９および図１０に示すように、ブレース設置棚部分２２は、棚横幅方向に並設された３つの剛性支柱枠１４と、隣接する剛性支柱枠１４に亘って架設された左右水平材１６とを備え、棚横幅方向の一端側に位置する剛性支柱枠１４における後側の支柱４と棚横幅方向の他端側に位置する剛性支柱枠１４における後側の支柱４とに亘って複数の垂直ブレース７を架設するように構成されている。
また、ブレース非設置棚部分２１は、棚横幅方向に並置された３つの剛性支柱枠１４と、隣接する剛性支柱枠１４に亘って架設された左右水平材１６とを備え、棚横幅方向の一端側に位置する剛性支柱枠１４における後側の支柱４と棚横幅方向の他端側に位置する剛性支柱枠１４における後側の支柱４とに亘って複数の減衰ブレース２０を架設するように構成されている。
そして、一対のブレース設置棚部分２２の間に１つのブレース非設置棚部分２１を位置させるように、一対のブレース設置棚部分２２と１つのブレース非設置棚部分２１とが棚横幅方向に並べられており、一対のブレース設置棚部分２２夫々の棚横幅方向のブレース非設置棚部分２１が位置する側とは反対側には剛性支柱枠１４が位置している。つまり、各剛性棚列ａ２は、一対のブレース設置棚部分２２と１つのブレース非設置棚部分２１と一対の剛性支柱枠１４とを備えて構成されている。
【００３２】
隣接するブレース設置棚部分２２とブレース非設置棚部分２１とで、それらが備える３つの剛性支柱枠１４のうちの相手側に位置する剛性支柱枠１４が共有されており、その共有される剛性支柱枠１４における後側の支柱４には、複数の垂直ブレース７と複数の減衰ブレース２０とが接続されている。
そして、ブレース設置棚部分２２並びにブレース非設置棚部分２１に備えられる３つの剛性支柱枠１４における中央に位置する剛性支柱枠１４には、垂直ブレース７及び減衰ブレース２０が連結されていない。また、ブレース設置棚部分２２やブレース非設置棚部分２１を構成しない一対の剛性支柱枠１４にも、垂直ブレース７及び減衰ブレース２０が連結されていない。
【００３３】
棚構成体Ａは、複数の剛性棚列ａ２を棚前後方向に並べて構成されており、図７に示すように、対向する一対の剛性棚列ａ２は、棚列連結枠１７にて連結されており、互いに後ろ向きとなる一対の剛性棚列ａ２は支柱つなぎ１８にて連結されている。
【００３５】
〔別実施の形態〕
（１）  上記本発明の実施形態では、各棚列ａにおける可変形支柱枠１３の棚横幅方向での位置が同じ位置となるように可変形支柱枠１３を配設したが、各棚列ａにおける可変形支柱枠１３の棚横幅方向での位置を異ならす、又は、各棚列ａにおける可変形支柱枠１３の棚横幅方向での位置が同じものと異なるものとを混在させてもよい。
つまり、上記本発明の実施形態では、各棚列ａにおける剛性支柱枠１４と可変形支柱枠１３との順序を同じとしたが、この順序を各棚列ａにおいて異なるようにしてもよい
【００３７】
（２）  上記本発明の実施形態では、棚構成体Ａを複数の棚列ａ、ａ２を棚前後方向に並べて構成したが、棚構成体Ａを１つの棚列にて構成してもよい。また、複数の棚列ａ、ａ２として、２列や３列、５列以上でもよい。
【００４１】
（３）  上記実施の形態では、棚前後方向に並ぶ支柱４に渡ってオイルダンパ１２を架設したが、支柱４と前後水平材１５とに亘ってオイルダンパ１２を架設してもよく、また、上下方向に間隔を隔てて備えられた一対の前後水平材１５間に亘ってオイルダンパ１２を架設してもよい。
上記実施の形態では、減衰ブレース２０を棚横幅方向に並置された剛性支柱枠１４間に亘って架設したが、剛性支柱枠１４と左右水平材１６とに亘って減衰ブレース２０を架設してもよく、また、上下方向に間隔を隔てて備えられた一対の左右水平材１６間に亘って減衰ブレース２０を架設してもよい。
【００４２】
（４）  減衰機構１２、２０としては、粘性を利用した粘性減衰機構（オイルダンパ）の他に、摩擦を利用した摩擦減衰機構等の他の構成の減衰機構でもよい。
【００４３】
（５）  上記本発明の実施形態では、可変形支柱枠１３に多数のオイルダンパ１２を上下方向に並べて装着して、可変形支柱枠１３の高さ方向の略全幅に亘ってオイルダンパ１２を装着したが、可変形支柱枠１３の高さ方向の一部にのみオイルダンパ１２を装着するように構成してもよい。
つまり、図１１（ａ）、（ｂ）に示すように、可変形支柱枠１３の下部にのみオイルダンパ１２を装着する、又は、図１１（ｃ）に示すように、可変形支柱枠１３の上部にのみオイルダンパ１２を装着するようにしてもよい。また、例えば、可変形支柱枠１３の下部にのみオイルダンパ１２を装着する場合に、図１１（ａ）に示すように、可変形支柱枠１３の最下部に１つのオイルダンパ１２を装着する、又は、図１１（ｂ）に示すように、可変形支柱枠１３の下部に２つのオイルダンパ１２を上下方向に並べて装着するようにしてもよい。
尚、可変形支柱枠１３の高さ方向の一部にのみオイルダンパ１２を装着する形態は、図１１に示したような形態に限定されるものではなく、例えば、可変形支柱枠１３の上部と下部とに間隔を隔てるように２つのオイルダンパ１２を上下方向に振り分けて装着する等、適宜変更したものでもよい。また、上記したように可変形支柱枠１３の高さ方向の一部にのみオイルダンパ１２を装着する場合、可変形支柱枠におけるオイルダンパが設けられていない部分に適宜前後水平材１５を架設して可変形支柱枠１３を図１１に示すように梯子状に形成してもよい。
【図面の簡単な説明】
【００４５】
【図１】自動倉庫の平面図
【図２】自動倉庫の斜視図
【図３】物品収納棚の側面図
【図４】物品収納棚の側面図
【図５】物品収納棚の背面図
【図６】物品収納棚の平面図
【図７】第１参考実施形態における物品収納棚の側面図
【図８】第１参考実施形態における物品収納棚の平面図
【図９】第２参考実施形態における物品収納棚の背面図
【図１０】第２参考実施形態における物品収納棚の平面図
【図１１】別実施の形態における剛性支柱枠の側面図
【符号の説明】
【００４６】
１    物品収納棚
４    支柱
５    ラチス
６    水平材
７    垂直ブレース
１２    減衰機構
１３    可変形支柱枠
１４    剛性支柱枠
２０    減衰機構
２１    ブレース非設置棚部分
２２    ブレース設置棚部分
Ａ    棚構成体
ａ    棚列
ａ１  可変形棚列
ａ２  剛性棚列
Ｂ    可変形棚部分
【図１】
0004716111.tif 000002
【図２】
0004716111.tif 000003
【図３】
0004716111.tif 000004
【図４】
0004716111.tif 000005
【図５】
0004716111.tif 000006
【図６】
0004716111.tif 000007
【図７】
0004716111.tif 000008
【図８】
0004716111.tif 000009
【図９】
0004716111.tif 000010
【図１０】
0004716111.tif 000011
【図１１】
0004716111.tif 000012